(57)【特許請求の範囲】
【請求項１】
室内温度を測定する室内温度センサー１、エアコン室内機から排出される冷風温度を測定するエアコン温度センサー２、室内温度コンパレータ３、エアコン温度コンパレータ４、タイマー５、ソレノイド６、カウンター７、警報表示９、リセットスイッチ１０、手動エアコン電源ＯＮスイッチ１１等の電子回路と汎用リモコン８で構成する装置であって、室内温度センサー１を装置内に設置し、その測定室内温度が一定温度以上（例えば、３０℃（温度設定変更可能））に上昇した時、室内温度コンパレータ３により、タイマー５、ソレノイド６、カウンター７をスタートさせ、汎用リモコン８の電源スイッチをソレノイド６で押打して汎用リモコン８からエアコンの電源ＯＮ信号を発射させる事と、エアコン温度センサー２により測定したエアコン室内機の冷風吹き出し口付近の冷風温度（エアコン温度）が一定温度以下（例えば、２０℃（温度設定変更可能））になった時は、エアコン温度コンパレータ４の動作により電子回路をリセットする機能を有し、かつ、エアコン温度センサー２による温度測定は、装置内の温度測定回路と有線で接続して動作することを特徴とする「自動エアコン電源投入装置」。
【請求項２】
室内温度センサー１により測定した室内温度が、一定温度以上（例えば、３０℃（温度設定変更可能））に上昇した場合、汎用リモコン８の電源スイッチをソレノイド６で押打して汎用リモコン８からエアコンの電源ＯＮ信号を発射して一定時間経過しているにも関わらず、エアコン温度センサー２により測定したエアコン室内機の冷風吹き出し口付近の冷風温度（エアコン温度）が一定温度以下（例えば、２０℃（温度設定変更可能））に低下しなかった場合、汎用リモコン８の電源スイッチをソレノイド６で４回まで押打して汎用リモコン８からエアコンの電源ＯＮ信号を４回まで再発射（再発射途中に冷風温度が一定温度以下（例えば、２０℃（温度設定変更可能））に低下した事が確認された場合は、再発射を打ち切る）することを特徴とする電子回路と汎用リモコン８を含む請求項１記載の「自動エアコン電源投入装置」。
【請求項３】
汎用リモコン８の電源スイッチをソレノイド６で４回まで押打して汎用リモコン８からエアコンの電源ＯＮ信号が４回再発射されたにも関らず、それでも、エアコン室内機の冷風吹き出し口付近の冷風温度（エアコン温度）が一定温度以下（例えば、２０℃（温度設定変更可能））に低下しなかった場合、原因不明の異常動作と判断し、警報表示９としてＬＥＤの点滅表示とブザーの鳴動（ＯＮ／ＯＦＦ（設定可能））をさせ、周知することを特徴とする電子回路を含む請求項２記載の「自動エアコン電源投入装置」。
【発明の詳細な説明】
【技術分野】
【０００１】  本発明は、エアコン設置場所の室内温度が一定温度以上（例えば、３０℃（温度設定変更可能））に上昇した場合、自動的にエアコンの電源ＯＮ信号を、汎用リモコンから発射し、エアコンを冷房運転をさせるための技術分野に関するものである。【０００２】  エアコンの電源ＯＮ信号を発射したにも関わらず、エアコンが冷房運転にならなかった場合の対処方法（請求項２、請求項３）の技術分野に関するものである。
【背景技術】
【０００３】  従来のエアコンは、設置場所の室内温度が一定温度以上に上昇した場合、自動的にエアコンの電源をＯＮする機能がなかった。
【発明の概要】
【発明が解決しようとする課題】
【０００４】  エアコンの設置場所の室内温度が一定温度以上（例えば、３０℃（温度設定変更可能））に上昇した場合、自動的にエアコンの電源をＯＮする電子回路が動作する事により、室内における熱中症による死亡事故の軽減が実現出来るようにすることを課題とする。
【課題を解決するための手段】
【０００５】  請求項１、請求項２、請求項３、記載の電子回路を組み込んだ「自動エアコン電源投入装置」をエアコン設置場所の室内機付近に設置し動作させることで課題を解決する。
【発明の効果】
【０００６】「自動エアコン電源投入装置」をエアコン設置場所の室内機付近に設置し動作させる事により、室内温度は、エアコンの設定温度（設定温度を２５℃に設定しておけば２５℃に）まで低下するので、室内における熱中症による死亡事故の軽減を実現する事が出来る。
【図面の簡単な説明】
【０００７】
【図１】  動作系統図の概略図
【図２】  設置概略図
【発明を実施するための形態】
【０００８】「自動エアコン電源投入装置」の動作形態を図１に基づいて、信号の流れに沿って動作を詳細に説明する。
【０００９】  室内温度センサー１は、温度に比例する電圧値を出力するセンサーである。
これを「自動エアコン電源投入装置」に内蔵し、室内温度を測定する。
エアコン温度センサー２も、温度に比例する電圧値を出力するセンサーである。
これをエアコン室内機の冷風吹き出し口付近に設置し、その温度を測定する。
【００１０】  室内温度コンパレータ３は、室内温度が一定温度以上（例えば、３０℃（温度設定変更可能））に上昇した場合、室内温度センサー１の出力電圧値が室内温度コンパレータ３の基準電圧値と同値以上になった場合、ソレノイド６を動作させる信号とタイマー５をスタートさせる信号を出力する。
エアコン温度コンパレータ４も、エアコン室内機の冷風吹き出し口付近の温度が一定温度以下に低下した場合、エアコン温度センサー２の出力電圧値がエアコン温度コンパレータ４の基準値と同値以下になった場合、タイマー５をリセットさせる信号を出力する。
【００１１】  ソレノイド６が動作すると、汎用リモコン８の電源スイッチがＯＮされ、汎用リモコン８からエアコン室内機に電源ＯＮ信号を発射する。
又、手動エアコン電源ＯＮスイッチ１１をＯＮする事により、ソレノイド６が動作し、室内温度に関係なく、何時でも、汎用リモコン８からエアコン室内機にエアコン電源ＯＮ信号を発射できる。
【００１２】  タイマー５がスタートすると、２回目以降にソレノイド６を動作させるための一定時間をカウントし始める。
これは、エアコン温度コンパレータ４の出力信号により、タイマー５がリセットされない場合、ソレノイド６を４回動作させるための、一定時間間隔おきの時間である。
【００１３】  タイマー５がリセットされると、ソレノイド６の動作は停止する。
これは、エアコンの冷房運転が開始され、エアコン室内機の冷風吹き出し口付近の温度が一定温度以下（例えば、２０℃（温度設定変更可能））に低下した事を意味し、室内温度はエアコンの設定温度（例えば、２５℃に設定してあれば２５℃に）まで低下する。
【００１４】  カウンター７は、タイマー５の動作回数をカウントしておき、４回目のカウントを終了した場合、タイマー５をリセットすると共に、原因不明の異常動作と判断し、警報表示９として、ＬＥＤの点滅表示とブザーの鳴動（ＯＮ／ＯＦＦ（設定可能））をする。
【００１５】  リセットスイッチ１０は、警報表示９の状態を解除し、「自動エアコン電源投入装置」を初期状態にもどす。
【００１６】  元々、付属しているエアコンの専用リモコンも併用使用が従来どうり可能である。
【００１７】  ＡＣアダプタ１２は、「自動エアコン電源投入装置」の動作電源を作るＡＣ／ＤＣコンバータである。
【実施例】
【００１８】  図２の設置概略図に示すように、「自動エアコン電源投入装置」をエアコン室内機付近に設置し、かつ、汎用リモコン８の発射する赤外線信号がエアコン室内機に届く範囲、および直射日光が、室内温度センサー１、エアコン温度センサー２に当たらない場所。
【産業上の利用可能性】
【００１９】  ホテルの部屋、オフィス、無人にしようとする炎天下の自動車内、保育園、老人介護施設、その他、一定温度以上に温度上昇をさせたく無いエアコンの設置されている空間。
【符号の説明】
【００２０】  １  室内温度センサー
２  エアコン温度センサー
３  室内温度コンパレータ
４  エアコン温度コンパレータ
５  タイマー
６  ソレノイド
７  カウンター
８  汎用リモコン
９  警報表示
１０  リセットスイッチ
１１  手動エアコン電源ＯＮスイッチ
１２  ＡＣアダプタ
１３  エアコン室内機
１４  自動エアコン電源投入装置
【図１】
0006566401.tif 000002
【図２】
0006566401.tif 000003